【手続補正書】
【提出日】平成26年11月18日(2014.11.18)
【手続補正１】
【補正対象書類名】明細書
【補正対象項目名】０００５
【補正方法】変更
【補正の内容】
【０００５】
［１］  第１の本発明に係る導電シートは、対向して配置された第１導電部及び第２導電部を有し、前記第１導電部は、一方向に配列された複数の第１導電パターンを有し、前記第２導電部は、前記第１導電パターンの配列方向と略直交する方向に配列された複数の第２導電パターンを有し、前記第１導電パターンは、前記一方向と略直交する方向に延びる帯状部を有し、前記第２導電パターンは、前記一方向にそれぞれ接続部を介して接続された複数の電極部を有し、前記第１導電パターン及び前記第２導電パターンは共に金属細線による複数の第１格子と、該第１格子よりもサイズが大きい金属細線による複数の第２格子とが組み合わされて構成され、前記第１導電パターンの前記帯状部と前記第２導電パターンの前記接続部は、それぞれ対向する部分が複数の前記第２格子にて構成され、上面から見たとき、前記帯状部と前記接続部とが対向する部分は、複数の前記第１格子が組み合わされた形態を有することを特徴とする。
これにより、第１導電パターンの帯状部と第２導電パターンの接続部とを対向させた際に、複数の第２格子同士が対向し、上面から見たとき、複数の第１格子が配列された形態にすることができる。これは視認性の向上につながる。すなわち、前記第１導電パターン及び前記第２導電パターンが共に複数の第１格子と複数の第２格子との組み合わせにて構成されることから、金属細線のパターンで電極を構成した場合においても、高い透明性を確保することができると共に視認性の向上を図ることができる。
［２］  第１の本発明において、前記第１格子の一辺の長さが３０〜５００μｍであることが好ましい。
［３］  また、前記金属細線の線幅が１５μｍ以下であることが好ましい。これにより、タッチパネルにおいて、金属細線のパターンで電極を構成した場合においても、高い透明性を確保することができると共に視認性の向上を図ることができ、しかも、検出感度の向上を図ることができる。
［４］  第１の本発明において、前記第１導電部と前記第２導電部とが基体を介して対向し、前記基体の厚みが５０μｍ〜３５０μｍであることが好ましい。これにより、検出感度と視認性を向上させることができる。
［５］  第１の本発明において、前記電極部が前記複数の第１格子にて構成されていることを特徴とする。この場合、電極部が複数の第１格子にて構成されていることから、指（入力ペン）のタッチ位置に応じた信号電荷を蓄積させることができる。
［６］  第１の本発明において、前記第２導電パターンにおける前記金属細線の占有面積が前記第１導電パターンにおける前記金属細線の占有面積よりも大きいことを特徴とする。これにより、第２導電パターンの金属細線の占有面積を大きくすることが可能となり、第２導電パターンの表面抵抗の低抵抗化を図ることができる。その結果、表示装置側に低抵抗の第２導電パターンを設置することで、電磁波によるノイズの影響を抑制することが可能となる。
［７］  この場合、前記第１導電パターンにおける前記金属細線の占有面積をＡ１、前記第２導電パターンにおける前記金属細線の占有面積をＡ２としたとき、１＜Ａ２／Ａ１≦２０であることが好ましい。
［８］  さらに好ましくは、１＜Ａ２／Ａ１≦１０である。
［９］  特に好ましくは、２≦Ａ２／Ａ１≦１０である。
［１０］  第１の本発明において、前記電極部の前記一方向に沿った長さは、前記帯状部の幅の２倍以上１０倍以下であることが好ましい。これにより、第２導電パターンの金属細線の占有面積を大きくすることが可能となり、第２導電パターンの表面抵抗の低抵抗化を図ることができる。その結果、表示装置側に低抵抗の第２導電パターンを設置することで、電磁波によるノイズの影響を抑制することが可能となる。これは、検出感度の向上につながる。
［１１］  第１の本発明において、前記電極部の前記第２導電パターンの配列方向に沿った長さは、前記帯状部の幅の２倍以上であることが好ましい。これにより、第２導電パターンの金属細線の占有面積を大きくすることが可能となり、第２導電パターンの表面抵抗の低抵抗化を図ることができる。
［１２］  第１の本発明において、前記第１導電パターンは、さらに、前記帯状部から両方向に張り出し、且つ、前記一方向と略直交する方向に沿って所定の間隔で配列された複数の張り出し部を有し、前記張り出し部は、前記第２導電パターンにおける前記電極部と対向せず、前記複数の第１格子にて構成されていることを特徴とする。この場合、張り出し部が複数の第１格子にて構成されて、電極として機能することから、指（入力ペン）のタッチ位置に応じた信号電荷を蓄積させることができる。また、前記張り出し部は、前記第２導電パターンにおける前記電極部と対向しないことから、張り出し部と電極部間の寄生容量を大幅に低減することができ、検出感度の向上を図ることができる。
［１３］  第１の本発明において、前記電極部における前記金属細線の占有面積が前記張り出し部における前記金属細線の占有面積よりも大きいことを特徴とする。これにより、第２導電パターンを表示装置側に設置したとしても、例えば自己容量方式において、電極部での検出感度の低下を抑えることができる。また、相互容量方式を採用した場合において、金属細線の占有面積の広い電極部を駆動電極、張り出し部を受信電極として使用することで、張り出し部での受信感度を高めることが可能となる。
［１４］  この場合、前記張り出し部における前記金属細線の占有面積をａ１、前記電極部における前記金属細線の占有面積をａ２としたとき、１＜ａ２／ａ１≦２０であることが好ましい。
［１５］  さらに好ましくは、１＜ａ２／ａ１≦１０である。
［１６］  特に好ましくは、２≦ａ２／ａ１≦１０である。
［１７］  第１の本発明において、前記張り出し部の前記一方向に沿った長さは、前記電極部の前記一方向の長さよりも短いことを特徴とする。これにより、第２導電パターンの金属細線の占有面積を大きくすることが可能となり、第２導電パターンの表面抵抗の低抵抗化を図ることができる。
［１８］  第１の本発明において、前記張り出し部の前記一方向に沿った長さは、隣接する前記帯状部間の長さの１／２より大きく、且つ、前記帯状部間の長さより小さいことが好ましい。これにより、張り出し部が電極として機能することから、指（入力ペン）のタッチ位置に応じた信号電荷を蓄積させることができる。
［１９］  第１の本発明において、前記張り出し部の前記一方向に沿った長さは、隣接する前記帯状部間の長さの１／２より小さいことが好ましい。
［２０］  この場合、隣接する前記帯状部のうち、一方の前記帯状部から他方の前記帯状部に向かって張り出す張り出し部の先端と、他方の前記帯状部から一方の前記帯状部に向かって張り出す張り出し部の先端とが互いに対向するようにしてもよい。張り出し部が電極として機能することから、指（入力ペン）のタッチ位置に応じた信号電荷を蓄積させることができる。
［２１］  第１の本発明において、前記帯状部の幅は、前記張り出し部の幅の３倍以上であることが好ましい。この場合、帯状部の導電性が良好となり、張り出し部に蓄積された信号電荷を高速に伝達させることができる。これは、検出感度の向上につながる。
［２２］  第１の本発明において、隣接する前記帯状部のうち、一方の前記帯状部から他方の前記帯状部に向かって張り出す１つの張り出し部と、他方の前記帯状部から一方の前記帯状部に向かって張り出し、且つ、前記１つの張り出し部と対向する一方の張り出し部との間の第１距離をＬ１とし、前記１つの張り出し部と、他方の前記帯状部から一方の前記帯状部に向かって張り出し、且つ、前記１つの張り出し部と対向する他方の張り出し部との間の第２距離をＬ２としたとき、Ｌ１＜Ｌ２であることが好ましい。
［２３］  この場合、前記第１距離は、前記張り出し部の前記第２導電パターンの配列方向に沿った長さの２倍以下であることが好ましい。
［２４］  また、前記第２距離は、前記電極部の前記第２導電パターンの配列方向に沿った長さの３倍以下であることが好ましい。
［２５］  第１の本発明において、前記張り出し部の前記第２導電パターンの配列方向に沿った長さは、前記電極部の前記第２導電パターンの配列方向に沿った長さの１／２以下であることが好ましい。
［２６］  第１の本発明において、前記第１導電部は、隣接する前記第１導電パターン間に、前記第１導電パターンと非接続とされた第１補助パターンを有し、
前記第２導電部は、隣接する前記第２導電パターン間に、前記第２導電パターンと非接続とされた第２補助パターンを有し、上面から見たとき、前記第１補助パターンと前記第２補助パターンとが対向することによる組合せパターンが形成され、該組合せパターンは複数の前記第１格子が組み合わされた形態を有することを特徴とする。これにより、張り出し部と電極部との境界をほとんど見分けることができなくなり、視認性が向上する。
［２７］  第２の本発明に係るタッチパネルは、表示装置の表示パネル上に配置される導電シートを有するタッチパネルであって、前記導電シートは、対向して配置された第１導電部及び第２導電部を有し、前記第１導電部は、一方向に配列された複数の第１導電パターンを有し、前記第２導電部は、前記第１導電パターンの配列方向と略直交する方向に配列された複数の第２導電パターンを有し、前記第１導電パターンは、前記一方向と略直交する方向に延びる帯状部を有し、前記第２導電パターンは、前記一方向にそれぞれ接続部を介して接続された複数の電極部を有し、前記第１導電パターン及び前記第２導電パターンは共に金属細線による複数の第１格子と、該第１格子よりもサイズが大きい金属細線による複数の第２格子とが組み合わされて構成され、前記第１導電パターンの前記帯状部と前記第２導電パターンの前記接続部は、それぞれ対向する部分が複数の前記第２格子にて構成され、上面から見たとき、前記帯状部と前記接続部とが対向する部分は、複数の前記第１格子が組み合わされた形態を有することを特徴とする。
【手続補正２】
【補正対象書類名】明細書
【補正対象項目名】００１０
【補正方法】変更
【補正の内容】
【００１０】
第１導電パターン１８Ａは、第２方向（第１方向と直交する方向：ｙ方向）に延在する帯状部２０と、該帯状部２０から両方向に張り出し、且つ、第２方向に沿って所定の間隔で配列された複数の張り出し部２２とを有する。張り出し部２２の第１方向（ｘ方向）に沿った長さＬａは、隣接する帯状部２０間の長さＬｂの１／２より大きく、且つ、帯状部２０間の長さＬｂより小さい。この場合、張り出し部が電極として機能することから、指（あるいは入力ペン）のタッチ位置に応じた信号電荷を蓄積させることができる。帯状部２０の第１方向（ｘ方向）に沿った長さ（帯状部２０の幅）Ｌｃは、張り出し部２２の第２方向（ｙ方向）に沿った長さ（張り出し部２２の幅）Ｌｄの３倍以上である。好ましくは３倍以上１０倍以下、より好ましくは３倍以上７倍以下、特に好ましくは３倍以上５倍以下である。図４の例では約３．５倍とされている。帯状部２０の導電性が良好となり、張り出し部２２に蓄積された信号電荷を高速に伝達させることができる。これは、検出感度の向上につながる。隣接する帯状部２０間の長さＬｂは、帯状部２０の幅Ｌｃの２倍以上であり、好ましくは３倍以上１０倍以下、より好ましくは４倍以上６倍以下である。図４では約５倍に設定した例を示す。この場合、後述する第２導電パターン１８Ｂの電極部３０の第１方向に沿った長さＬｅが、帯状部２０の幅Ｌｃの２倍以上となるから、第２導電パターン１８Ｂの金属細線２４の占有面積を大きくすることが可能となり、第２導電パターン１８Ｂの表面抵抗の低抵抗化を図ることができる。なお、張り出し部２２の形状は、図４に示されたものに限定されず、張り出し部２２からさらに複数の張り出し部を有するものや末端が二股に分かれたような幾何形状でもよい。この張り出し部２２の形状に応じて、後述する第２導電パターン１８Ｂの電極部３０の外形も変わってもよい。
【手続補正３】
【補正対象書類名】明細書
【補正対象項目名】００２３
【補正方法】変更
【補正の内容】
【００２３】
第１結線部４０ａをセンサ部１１２の両側の短辺に沿って配列し、第２結線部４０ｂをセンサ部１１２の一方の長辺に沿って配列するようにしたので、端子配線部１１４の面積を低減することができる。これは、タッチパネル１００を含めた表示パネル１１０の小型化を促進させることができると共に、表示画面１１０ａを印象的に大きく見せることができる。また、タッチパネル１００としての操作性も向上させることができる。
端子配線部１１４の面積をさらに小さくするには、隣接する第１端子配線パターン４２ａ間の距離、隣接する第２端子配線パターン４２ｂ間の距離を狭くすることが考えられるが、この場合、マイグレーションの発生防止を考慮すると、１０μｍ以上５０μｍ以下が好ましい。
【手続補正４】
【補正対象書類名】明細書
【補正対象項目名】００２９
【補正方法】変更
【補正の内容】
【００２９】
そのため、指のタッチ位置の検出方式として、自己容量方式を採用した場合に、指のタッチ位置から距離的に遠い電極部３０であっても、張り出し部２２と同等程度の信号電荷を蓄積させることができ、張り出し部２２での検出感度と電極部３０での検出感度をほぼ同等にすることができ、信号処理の負担を低減することができると共に、検出精度の向上も図ることができる。指のタッチ位置の検出方式として、例えば相互容量方式を採用した場合においても、金属細線２４の占有面積の広い電極部３０を駆動電極、張り出し部２２を受信電極として使用することで、張り出し部２２での受信感度を高めることが可能となる。また、第１導電パターン１８Ａと第２導電パターン１８Ｂとが一部において対向して、寄生容量が形成されたとしても、第１透明基体１４Ａの厚みを５０μｍ以上３５０μｍ以下としたので、寄生容量を低く抑えることができ、検出感度の低下を抑制することができる。
これらの金属細線２４の占有面積の比は、上述した長さＬａ〜Ｌｇ並びにＬ１及びＬ２を上述した範囲において適宜変更することで容易に設定することができる。
【手続補正５】
【補正対象書類名】明細書
【補正対象項目名】００９１
【補正方法】変更
【補正の内容】
【００９１】
表４から、参考例１１は視認性については良好であったが、検出感度が悪かった。これは、第１透明基体１４Ａの厚みが３０μｍと薄いため、第１導電パターン１８Ａと第２導電パターン１８Ｂとの間の寄生容量が大きく、この寄生容量の存在により、検出感度が悪化したものと考えられる。参考例１２は検出感度及び視認性共に評価が悪かった。これは、第１透明基体１４Ａの厚みが４００μｍと非常に厚いため、自己容量方式の場合においては、第２導電パターン１８Ｂにおいて指のタッチ位置が認識し難くなり、相互容量方式の場合においては、駆動電極からの発信信号が受信電極にて受信し難くなったものと考えられる。また、視認性の評価が悪くなった原因は、第１透明基体１４Ａの厚みが４００μｍと非常に厚いため、透光部での透過率が８０％と低く、透明性が低下したことによる。
これに対して、実施例１１〜１７は共に検出感度及び視認性が良好であった。特に、実施例１３〜１５は検出感度が非常に良好であった。
このことから、第１導電部１６Ａと第２導電部１６Ｂ間に介在する透明基体（ここでは第１透明基体１４Ａ）の厚みは、５０μｍ以上３５０μｍ以下が好ましく、さらに好ましくは８０μｍ以上２５０μｍ以下であり、特に好ましくは１００μｍ以上２００μｍ以下であることがわかる。
【手続補正６】
【補正対象書類名】明細書
【補正対象項目名】００９５
【補正方法】変更
【補正の内容】
【００９５】
表５から、参考例２１及び２２は検出感度が共に悪かった。参考例２１については、第２導電パターン１８Ｂの表面抵抗が７５オーム／ｓｑ．と高く、電磁波によるノイズの影響を抑制できなかったものと考えられる。参考例２２については、第２導電パターン１８Ｂの表面抵抗は大幅に低下したが、第１導電パターン１８Ａの表面抵抗が反対に１５０オーム／ｓｑ．と大きくなり、受信電極での検出感度が低下したことが原因であると考えられる。
【手続補正７】
【補正対象書類名】特許請求の範囲
【補正対象項目名】全文
【補正方法】変更
【補正の内容】
【特許請求の範囲】
【請求項１】
対向して配置された第１導電部及び第２導電部を有し、
前記第１導電部は、一方向に配列された複数の第１導電パターンを有し、
前記第２導電部は、前記第１導電パターンの配列方向と略直交する方向に配列された複数の第２導電パターンを有し、
前記第１導電パターンは、前記一方向と略直交する方向に延びる帯状部を有し、
前記第２導電パターンは、前記一方向にそれぞれ接続部を介して接続された複数の電極部を有し、
前記第１導電パターン及び前記第２導電パターンは共に金属細線による複数の第１格子と、該第１格子よりもサイズが大きい金属細線による複数の第２格子とが組み合わされて構成され、
前記第１導電パターンの前記帯状部と前記第２導電パターンの前記接続部は、それぞれ対向する部分が複数の前記第２格子にて構成され、
上面から見たとき、前記帯状部と前記接続部とが対向する部分は、複数の前記第１格子が組み合わされた形態を有することを特徴とする導電シート。
【請求項２】
請求項１記載の導電シートにおいて、
前記第１格子の一辺の長さが３０〜５００μｍであることを特徴とする導電シート。
【請求項３】
請求項１記載の導電シートにおいて、
前記金属細線の線幅が１５μｍ以下であることを特徴とする導電シート。
【請求項４】
請求項１記載の導電シートにおいて、
前記第１導電部と前記第２導電部とが基体を介して対向し、
前記基体の厚みが５０μｍ〜３５０μｍであることを特徴とする導電シート。
【請求項５】
請求項１記載の導電シートにおいて、
前記電極部が前記複数の第１格子にて構成されていることを特徴とする導電シート。
【請求項６】
請求項１記載の導電シートにおいて、
前記第２導電パターンにおける前記金属細線の占有面積が前記第１導電パターンにおける前記金属細線の占有面積よりも大きいことを特徴とする導電シート。
【請求項７】
請求項６記載の導電シートにおいて、
前記第１導電パターンにおける前記金属細線の占有面積をＡ１、前記第２導電パターンにおける前記金属細線の占有面積をＡ２としたとき、
１＜Ａ２／Ａ１≦２０
であることを特徴とする導電シート。
【請求項８】
請求項６記載の導電シートにおいて、
前記第１導電パターンにおける前記金属細線の占有面積をＡ１、前記第２導電パターンにおける前記金属細線の占有面積をＡ２としたとき、
１＜Ａ２／Ａ１≦１０
であることを特徴とする導電シート。
【請求項９】
請求項５記載の導電シートにおいて、
前記第１導電パターンにおける前記金属細線の占有面積をＡ１、前記第２導電パターンにおける前記金属細線の占有面積をＡ２としたとき、
２≦Ａ２／Ａ１≦１０
であることを特徴とする導電シート。
【請求項１０】
請求項１記載の導電シートにおいて、
前記電極部の前記一方向に沿った長さは、前記帯状部の幅の２倍以上１０倍以下であることを特徴とする導電シート。
【請求項１１】
請求項１記載の導電シートにおいて、
前記電極部の前記第２導電パターンの配列方向に沿った長さは、前記帯状部の幅の２倍以上であることを特徴とする導電シート。
【請求項１２】
請求項１記載の導電シートにおいて、
前記第１導電パターンは、さらに、前記帯状部から両方向に張り出し、且つ、前記一方向と略直交する方向に沿って所定の間隔で配列された複数の張り出し部を有し、
前記張り出し部は、前記第２導電パターンにおける前記電極部と対向せず、前記複数の第１格子にて構成されていることを特徴とする導電シート。
【請求項１３】
請求項１２記載の導電シートにおいて、
前記電極部における前記金属細線の占有面積が前記張り出し部における前記金属細線の占有面積よりも大きいことを特徴とする導電シート。
【請求項１４】
請求項１３記載の導電シートにおいて、
前記張り出し部における前記金属細線の占有面積をａ１、前記電極部における前記金属細線の占有面積をａ２としたとき、
１＜ａ２／ａ１≦２０
であることを特徴とする導電シート。
【請求項１５】
請求項１３記載の導電シートにおいて、
前記張り出し部における前記金属細線の占有面積をａ１、前記電極部における前記金属細線の占有面積をａ２としたとき、
１＜ａ２／ａ１≦１０
であることを特徴とする導電シート。
【請求項１６】
請求項１３記載の導電シートにおいて、
前記張り出し部における前記金属細線の占有面積をａ１、前記電極部における前記金属細線の占有面積をａ２としたとき、
２≦ａ２／ａ１≦１０
であることを特徴とする導電シート。
【請求項１７】
請求項１２記載の導電シートにおいて、
前記張り出し部の前記一方向に沿った長さは、前記電極部の前記一方向の長さよりも短いことを特徴とする導電シート。
【請求項１８】
請求項１２記載の導電シートにおいて、
前記張り出し部の前記一方向に沿った長さは、隣接する前記帯状部間の長さの１／２より大きく、且つ、前記帯状部間の長さより小さいことを特徴とする導電シート。
【請求項１９】
請求項１２記載の導電シートにおいて、
前記張り出し部の前記一方向に沿った長さは、隣接する前記帯状部間の長さの１／２より小さいことを特徴とする導電シート。
【請求項２０】
請求項１９記載の導電シートにおいて、
隣接する前記帯状部のうち、一方の前記帯状部から他方の前記帯状部に向かって張り出す張り出し部の先端と、他方の前記帯状部から一方の前記帯状部に向かって張り出す張り出し部の先端とが互いに対向することを特徴とする導電シート。
【請求項２１】
請求項１２記載の導電シートにおいて、
前記帯状部の幅は、前記張り出し部の幅の３倍以上であることを特徴とする導電シート。
【請求項２２】
請求項１２記載の導電シートにおいて、
隣接する前記帯状部のうち、一方の前記帯状部から他方の前記帯状部に向かって張り出す１つの張り出し部と、他方の前記帯状部から一方の前記帯状部に向かって張り出し、且つ、前記１つの張り出し部と対向する一方の張り出し部との間の第１距離をＬ１とし、
前記１つの張り出し部と、他方の前記帯状部から一方の前記帯状部に向かって張り出し、且つ、前記１つの張り出し部と対向する他方の張り出し部との間の第２距離をＬ２としたとき、
Ｌ１＜Ｌ２
であることを特徴とする導電シート。
【請求項２３】
請求項２２記載の導電シートにおいて、
前記第１距離は、前記張り出し部の前記第２導電パターンの配列方向に沿った長さの２倍以下であることを特徴とする導電シート。
【請求項２４】
請求項２２記載の導電シートにおいて、
前記第２距離は、前記電極部の前記第２導電パターンの配列方向に沿った長さの３倍以下であることを特徴とする導電シート。
【請求項２５】
請求項１２記載の導電シートにおいて、
前記張り出し部の前記第２導電パターンの配列方向に沿った長さは、前記電極部の前記第２導電パターンの配列方向に沿った長さの１／２以下であることを特徴とする導電シート。
【請求項２６】
請求項１記載の導電シートにおいて、
前記第１導電部は、隣接する前記第１導電パターン間に、前記第１導電パターンと非接続とされた第１補助パターンを有し、
前記第２導電部は、隣接する前記第２導電パターン間に、前記第２導電パターンと非接続とされた第２補助パターンを有し、
上面から見たとき、前記第１補助パターンと前記第２補助パターンとが対向することによる組合せパターンが形成され、該組合せパターンは複数の前記第１格子が組み合わされた形態を有することを特徴とする導電シート。
【請求項２７】
表示装置の表示パネル上に配置される導電シートを有するタッチパネルであって、
前記導電シートは、
対向して配置された第１導電部及び第２導電部を有し、
前記第１導電部は、一方向に配列された複数の第１導電パターンを有し、
前記第２導電部は、前記第１導電パターンの配列方向と略直交する方向に配列された複数の第２導電パターンを有し、
前記第１導電パターンは、前記一方向と略直交する方向に延びる帯状部を有し、
前記第２導電パターンは、前記一方向にそれぞれ接続部を介して接続された複数の電極部を有し、
前記第１導電パターン及び前記第２導電パターンは共に金属細線による複数の第１格子と、該第１格子よりもサイズが大きい金属細線による複数の第２格子とが組み合わされて構成され、
前記第１導電パターンの前記帯状部と前記第２導電パターンの前記接続部は、それぞれ対向する部分が複数の前記第２格子にて構成され、
上面から見たとき、前記帯状部と前記接続部とが対向する部分は、複数の前記第１格子が組み合わされた形態を有することを特徴とするタッチパネル。
【手続補正８】
【補正対象書類名】図面
【補正対象項目名】図２
【補正方法】変更
【補正の内容】
【図２】
2012238276.tif 000001
【手続補正９】
【補正対象書類名】図面
【補正対象項目名】図４
【補正方法】変更
【補正の内容】
【図４】
2012238276.tif 000002
【手続補正１０】
【補正対象書類名】図面
【補正対象項目名】図７
【補正方法】変更
【補正の内容】
【図７】
2012238276.tif 000003
【手続補正１１】
【補正対象書類名】図面
【補正対象項目名】図１１
【補正方法】変更
【補正の内容】
【図１１】
2012238276.tif 000004